【手続補正書】
【提出日】平成25年3月12日(2013.3.12)
【手続補正１】
【補正対象書類名】特許請求の範囲
【補正対象項目名】全文
【補正方法】変更
【補正の内容】
【特許請求の範囲】
【請求項１】
測定対象から音響波を発生させる発生手段と、
測定対象から発生した音響波を受信して電気信号に変換する探触子と、
前記電気信号に対してウェーブレット変換を行いウェーブレット係数列を取得する処理部と、
前記ウェーブレット係数列のうち所定の閾値より小さい値のウェーブレット係数を除去する閾値処理部と
を有し、
前記処理部は、前記探触子のインパルス応答波形に対応するマザーウェーブレットを用いてウェーブレット変換を行う
ことを特徴とする情報処理装置。
【請求項２】
前記発生手段は、測定対象に音響波を発生させる前に前記探触子にインパルス応答波形を発生させ、
前記処理部は、当該発生したインパルス応答波形を用いて、前記探触子のインパルス応答波形に対応するマザーウェーブレットを取得する
ことを特徴とする請求項１に記載の情報処理装置。
【請求項３】
前記処理部は、予め保存された複数のマザーウェーブレットの中から、前記複数のマザーウェーブレットと前記探触子のインパルス応答波形との類似度に基づいて、前記探触子のインパルス応答波形に対応するマザーウェーブレットを選択する
ことを特徴とする請求項１に記載の情報処理装置。
【請求項４】
前記処理部は、予め保存された複数のマザーウェーブレットに対応する係数列の中から、前記探触子のインパルス応答波形との類似度が最も高いマザーウェーブレットに対応する係数列を選択し、
前記類似度が最も高いマザーウェーブレットを、前記探触子のインパルス応答波形に対応するマザーウェーブレットとする
ことを特徴とする請求項３に記載の情報処理装置。
【請求項５】
探触子の種類ごとに前記探触子のインパルス応答波形との類似度が最も高いマザーウェー
ブレットの種類を記憶しているメモリをさらに有し、
前記処理部は前記メモリを参照して前記探触子の応答波形に対応するマザーウェーブレットを選択する
ことを特徴とする請求項４に記載の情報処理装置。
【請求項６】
測定対象から音響波を発生させる発生手段と、
測定対象から発生した音響波を受信して電気信号に変換する探触子と、
前記電気信号に基づいてウェーブレット係数列を取得する処理部と、
前記ウェーブレット係数列のうち所定の閾値より小さい値のウェーブレット係数を除去する閾値処理部と
を有し、
前記処理部は、予め保存された複数のマザーウェーブレットに対応する係数列の中から、前記複数のマザーウェーブレットと前記探触子のインパルス応答波形との類似度に基づいて、前記探触子のインパルス応答波形に対応するマザーウェーブレットに対応する係数列を選択し、前記ウェーブレット係数列とする
ことを特徴とする情報処理装置。
【請求項７】
前記発生手段は、測定対象に音響波を発生させる前に前記探触子にインパルス応答波形を発生させ、
前記処理部は、当該発生したインパルス応答波形を用いて、前記探触子のインパルス応答波形に対応するマザーウェーブレットに対応する係数列を選択する
ことを特徴とする請求項６に記載の情報処理装置。
【請求項８】
前記処理部は、予め保存された複数のマザーウェーブレットに対応する係数列の中から、前記探触子のインパルス応答波形との類似度が最も高いマザーウェーブレットに対応する係数列を選択し、
前記類似度が最も高いマザーウェーブレットに対応する係数列を、前記探触子のインパルス応答波形に対応するマザーウェーブレットに対応する係数列とする
ことを特徴とする請求項６または７に記載の情報処理装置。
【請求項９】
探触子の種類ごとに前記探触子のインパルス応答波形との類似度が最も高いマザーウェーブレットに対応する係数列の種類を記憶しているメモリをさらに有し、
前記処理部は前記メモリを参照して前記探触子に対応するマザーウェーブレットに対応する係数列を選択する
ことを特徴とする請求項８に記載の情報処理装置。
【請求項１０】
前記処理部は、前記探触子のインパルス応答波形に対して前記複数のマザーウェーブレットのそれぞれを用いてウェーブレット変換を行った結果に基づいて類似度を判定する
ことを特徴とする請求項３〜９のうちいずれか１項に記載の情報処理装置。
【請求項１１】
前記発生手段は測定対象に光を照射する光源であり、
前記音響波は前記光源から光を照射された測定対象から発せられる光音響波である
ことを特徴とする請求項１〜１０のうちいずれか１項に記載の情報処理装置。
【請求項１２】
前記発生手段は測定対象に超音波を照射する前記探触子であり、
前記音響波は前記超音波が測定対象で反射したものである
ことを特徴とする請求項１〜１１のうちいずれか１項に記載の情報処理装置。
【請求項１３】
情報処理装置が、測定対象から発生して探触子が受信した音響波を電気信号に変換するステップと、
情報処理装置が、前記電気信号に対してウェーブレット変換を行いウェーブレット係数列を取得する変換ステップと、
情報処理装置が、前記ウェーブレット係数列のうち所定の閾値より小さい値のウェーブレット係数を除去するステップと
を有し、
前記変換ステップでは、前記探触子のインパルス応答波形に対応するマザーウェーブレットを用いてウェーブレット変換を行う
ことを特徴とする情報処理方法。
【請求項１４】
情報処理装置が、測定対象から発生して探触子が受信した音響波を電気信号に変換するステップと、
情報処理装置が、前記電気信号に基づいてウェーブレット係数列を取得するステップと、情報処理装置が、前記ウェーブレット係数列のうち所定の閾値より小さい値のウェーブレット係数を除去するステップと
を有し、
前記取得するステップでは、予め保存された複数のマザーウェーブレットに対応する係数列の中から、前記複数のマザーウェーブレットと前記探触子のインパルス応答波形との類似度に基づいて、前記探触子のインパルス応答波形に対応するマザーウェーブレットに対応する係数列を選択して、前記ウェーブレット係数列とする
ことを特徴とする情報処理方法。
【請求項１５】
請求項１３または１４に記載の情報処理方法を情報処理装置に実行させる
ことを特徴とするプログラム。
【手続補正２】
【補正対象書類名】明細書
【補正対象項目名】発明の名称
【補正方法】変更
【補正の内容】
【発明の名称】情報処理装置および情報処理方法
【手続補正３】
【補正対象書類名】明細書
【補正対象項目名】０００１
【補正方法】変更
【補正の内容】
【０００１】
本発明は、測定対象から放出された音響波を受信する情報処理装置および情報処理方法に関する。
【手続補正４】
【補正対象書類名】明細書
【補正対象項目名】０００８
【補正方法】変更
【補正の内容】
【０００８】
かかる課題を解決するために、本発明は以下の構成を採用する。すなわち、測定対象から音響波を発生させる発生手段と、測定対象から発生した音響波を受信して電気信号に変換
する探触子と、前記電気信号に対してウェーブレット変換を行いウェーブレット係数列を取得する処理部と、前記ウェーブレット係数列のうち所定の閾値より小さい値のウェーブレット係数を除去する閾値処理部とを有し、前記処理部は、前記探触子のインパルス応答波形に対応するマザーウェーブレットを用いてウェーブレット変換を行うことを特徴とする情報処理装置である。
本発明はまた、以下の構成を採用する。すなわち、測定対象から音響波を発生させる発生手段と、測定対象から発生した音響波を受信して電気信号に変換する探触子と、前記電気信号に基づいてウェーブレット係数列を取得する処理部と、前記ウェーブレット係数列のうち所定の閾値より小さい値のウェーブレット係数を除去する閾値処理部とを有し、前記処理部は、予め保存された複数のマザーウェーブレットに対応する係数列の中から、前記複数のマザーウェーブレットと前記探触子のインパルス応答波形との類似度に基づいて、前記探触子のインパルス応答波形に対応するマザーウェーブレットに対応する係数列を選択し、前記ウェーブレット係数列とすることを特徴とする情報処理装置である。
【手続補正５】
【補正対象書類名】明細書
【補正対象項目名】０００９
【補正方法】変更
【補正の内容】
【０００９】
本発明はまた、以下の構成を採用する。すなわち、情報処理装置が、測定対象から発生して探触子が受信した音響波を電気信号に変換するステップと、情報処理装置が、前記電気信号に対してウェーブレット変換を行いウェーブレット係数列を取得する変換ステップと、情報処理装置が、前記ウェーブレット係数列のうち所定の閾値より小さい値のウェーブレット係数を除去するステップとを有し、前記変換ステップでは、前記探触子のインパルス応答波形に対応するマザーウェーブレットを用いてウェーブレット変換を行うことを特徴とする情報処理方法
本発明はまた、以下の構成を採用する。すなわち、情報処理装置が、測定対象から発生して探触子が受信した音響波を電気信号に変換するステップと、情報処理装置が、前記電気信号に基づいてウェーブレット係数列を取得するステップと、情報処理装置が、前記ウェーブレット係数列のうち所定の閾値より小さい値のウェーブレット係数を除去するステップとを有し、前記取得するステップでは、予め保存された複数のマザーウェーブレットに対応する係数列の中から、前記複数のマザーウェーブレットと前記探触子のインパルス応答波形との類似度に基づいて、前記探触子のインパルス応答波形に対応するマザーウェーブレットに対応する係数列を選択して、前記ウェーブレット係数列とすることを特徴とする情報処理方法である。
【手続補正６】
【補正対象書類名】明細書
【補正対象項目名】００１０
【補正方法】削除
【補正の内容】